(57)【要約】      （修正有）【課題】役所や病院やデパートやショッピングセンターやイベント会場などの施設において、利用者や来訪者がトイレ等の目的地に向かって進むべき方向を簡単に、直接的に指示する道順案内具を提供する。【解決手段】目的地を示す情報が差し替え可能な構造の基本情報表示部２と該基本情報表示部に示された目的地に一致した進むべき方向を差し替え可能に直接的に示す方向指示部３からなる。また、方向指示部については、目的地への進むべき方向の通路のさらなる分岐等に対応するために、折り畳み或いは追加差し込み可能構造とし、上下左右いずれの方向にも長さが調節可能とした。【選択図】図１
0003174436.tif 000002
【実用新案登録請求の範囲】
【請求項１】
目的地を示す基本情報表示部と、該基本情報表示部に表示にされた目的地に一致した進むべき方向を直接的に示す方向指示部とからなる道順案内具において、該基本情報表示部が目的地に対応して目的地を表示する情報の差し替えが可能で、該方向指示部も進むべき方向を示す情報が差し替え可能な構造であることを特徴とする道順案内具。
【請求項２】
前記基本情報表示部と方向指示部が、目的地に対応した利用者を連想させる色の透明材或いは半透明材で構成された構造であることを特徴とする請求項１記載の道順案内具。
【請求項３】
前記方向指示部が、前記基本情報表示部に示めされた目的地に対応して、上下左右いずれの方向にも長さが調節可能な構造であることを特徴とする請求項１または請求項２記載の道順案内具。
【考案の詳細な説明】
【技術分野】
【０００１】本考案は、役所や病院やデパートやショッピングセンターやイベント会場などの施設において、利用者や来訪者がトイレ等の目的地に向かって進むべき方向を指示する道順案内具に関する。
【背景技術】
【０００２】  役所や病院やデパートやショッピングセンターやイベント会場などの施設において、通常の利用者や来訪者はこれらの施設の詳細やその周囲を含む施設の地理などを正確に把握していない場合が多い。【０００３】  このため、これらの施設に設けられた案内板や周辺の地図などを頼りにして、目的地に向かうことが多く、不慣れな施設では、目的地に到着するまでに遠回りしたり、道に迷ったりすることがある。【０００４】  これらの問題を解決するために、目的地に向かって進行すべき方向を平面的な矢印で表示する提案（例えば、特許文献１参照）がなされているが、この提案では、進むべき方向の通路がさらに分岐している場合などは、方向指示が不十分になる。【０００５】  さらに、目的地に向かって進むべき方向を三次元の矢印で表示して方向指示する提案（例えば特許文献２参照）もされているが、この提案では複雑な表示であり、老齢者や小さな子供には理解しにくく、さらに設置費も高価になり、問題を解決するにはいたっていない。
【先行技術文献】
【特許文献】
【０００６】
【特許文献１】  特開２０００−１４９１５０号  公報
【特許文献２】  実開平５−２００８３号  公報
【考案の概要】
【考案が解決しようとする課題】
【０００７】  役所や病院やデパートやショッピングセンターやイベント会場などの施設において、通常の利用者や来訪者がトイレ等の目的地に向かって進むべき方向を直接的に示す簡易な道順案内具を提供する。
【課題を解決するための手段】
【０００８】  上記課題を解決するために、目的地を示す情報が差し込み或いは吸着式等の差し替え可能な構造の基本情報表示部と該基本情報表示部に表示された目的地に一致した進むべき方向を差し込み或いは吸着式等の差し替え可能に直接的に示す方向指示部からなる道順案内具とした。【０００９】  前記道順案内具は、基本情報表示部に示した目的地に対応した利用者を連想させる色の透明或いは半透明のポリエチレン、ポリプロピレン、塩化ビニール等のプラスチック材を使用し、さらに効果を高めるために照明装置の併用も可能とした。【００１０】  例えば、前記目的地が男性用トイレの場合は黒色或いは青色を主とし、女性用トイレの場合は赤色或いはピンク色を主とした。また、前記目的地の表示手段についても、施設や目的地の利用者の意向に適応する漢字、ひらがな、カタカナ、ローマ字、アルファベット等の使用も可能とし、利用者がより理解・親しみやすい構造とした。【００１１】  さらに、前記方向指示部は、折り畳み或いは追加差し込み等の構造とし、前記基本情報表示部に示された目的地に対応して、上下左右いずれの方向にも長さが調節可能な構造とした。【００１２】  これにより、前記基本情報表示部に示めされた目的地への進むべき方向の通路がさらに分岐している場合などには、前記方向指示部を上下左右いずれかの方向に追加して、次に進むべき方向を示すことが可能となる。【００１３】  さらに進むべき方向の通路が何回か分岐している場合は、同様の操作を分岐回数に応じて繰り返す構造とした。
【考案の効果】
【００１４】  以上に述べたように、本考案の道順案内具は簡単な操作で、目的地への進むべき方向が直接的に示すことができるので、利用者の方にとっては非常に便利なものとなる。
【図面の簡単な説明】
【００１５】
【図１】  本考案の男性用トイレの道順案内具の一例を示す
【図２】  本考案の男性用トイレの目的地への進むべき方向の通路がさらに分岐している場合の一例を示す。
【考案を実施するための形態】
【００１６】  役所や病院やデパートやショッピングセンターやイベント会場などの施設において、通常の利用者や来訪者がトイレ等の目的地に向かって進むべき方向を直接的に示すためには、目的地を示す情報が差し替え可能な構造の基本情報表示部と該基本情報表示部に表示された目的地に一致した進むべき方向を差し替え可能に直接的に示す方向指示部からなる道順案内具を考案した。
【実施例】
【００１７】  本考案の道順案内具の一例を図１及び図２を用いて説明する。【００１８】  図１は、本考案の男性用トイレの道順案内具の一例を示し、図２は本考案の男性用トイレの目的地への進むべき方向の通路がさらに分岐している場合の一例を示している。【００１９】  男性用トイレの場合は、道順案内具１は黒色或いは青色の透明或いは半透明のプラスチック材を用い、まず、差し替え可能な基本情報表示部２の枠に目的地男性用トイレを表すＷＣの情報を表示する。【００２０】  次に、差し替え可能な方向指示部３の枠に進むべき方向の矢印を表示する。  進むべき方向の通路が直線の場合はこのままにしておく。【００２１】  さらに、進むべき方向の通路がさらに分岐している場合は、折り畳み方向指示部４を開いて、さらに進むべき方向の折り畳み方向指示部第１情報５及び折り畳み方向指示部第２情報６を表示する。【００２２】  この場合、折り畳み方向指示部４を追加差し込み方向指示部としてもよい。
この操作を繰り返すことにより、進むべき方向の通路が何回分岐していても、利用者が直接的に進むべき方向を理解することが可能となる。
【産業上の利用可能性】
【００２３】  この考案は役所や病院やデパートやショッピングセンターやイベント会場などの一定の範囲内の道順等の案内を矢印や色彩を用いて直接的、統一的に理解できるので、利用者の方が施設内の目的とするスポット地点を容易かつ迅速に認識できるものであり、産業上の利用の可能性を有するものである。
【符号の説明】
【００２１】１  道順案内具（青色透明プラスチック製）
２  基本情報表示部
３  方向指示部
４  折り畳み方向指示部
５  折り畳み方向指示部第１情報
６  折り畳み方向指示部第２情報
【図１】
0003174436.tif 000003
【図２】
0003174436.tif 000004